(57)【要約】【課題】解除操作の操作性を向上できるレバー式コネクタを提供すること。【解決手段】レバー式コネクタ１は、開口部２ｂを有し、端子を保持するハウジング２と、開口部と対向する対向部３２を有するカバー３と、ハウジングに対して自在に相対回転するようにハウジングによって支持されている本体４０と、本体から相対回転の半径方向の内側に向けて突出している係合突起４３と、係合突起に隣接して設けられた解除操作部４４と、を有するレバー４と、を備える。対向部は、開口部とは反対側に向けて突出しており、係合突起を係止する係止部３３を有し、解除操作部は、本体から相対回転の回転方向Ｒ２に沿って突出しており、かつ係合突起が係止部によって係止されている状態で半径方向において係止部と対向する。解除操作部は、係止部に向けて押し付けられることで係合突起と係止部とを半径方向において互いに逆の方向Ｙ１，Ｙ２に相対移動させる。【選択図】図１５
2020198156.tif 000002
【特許請求の範囲】
【請求項１】
開口部を有し、端子を保持するハウジングと、
前記開口部と対向する対向部を有し、前記ハウジングに対して固定されるカバーと、
前記ハウジングに対して自在に相対回転するように前記ハウジングによって支持される本体と、前記本体から前記相対回転の半径方向の内側に向けて突出している係合突起と、前記係合突起に隣接して設けられた解除操作部と、を有するレバーと、
を備え、
前記対向部は、前記開口部とは反対側に向けて突出しており、前記係合突起を係止して前記レバーの回転を規制する係止部を有し、
前記解除操作部は、前記本体から前記相対回転の回転方向に沿って突出しており、かつ前記係合突起が前記係止部によって係止されている状態で前記半径方向において前記係止部と対向し、
前記解除操作部は、前記係止部に向けて押し付けられることで前記係合突起と前記係止部とを前記半径方向において遠ざける方向に相対移動させる
ことを特徴とするレバー式コネクタ。
【請求項２】
前記解除操作部は、前記本体から前記相対回転の回転方向に沿って突出している片部と、前記片部から前記半径方向の内側に向けて突出している解除突起と、を有する
請求項１に記載のレバー式コネクタ。
【請求項３】
前記解除突起は、前記片部における先端と基端との間に配置されている
請求項２に記載のレバー式コネクタ。
【請求項４】
前記片部の厚さは、前記片部の先端へ向かうに従って小さくなる
請求項２または３に記載のレバー式コネクタ。
【請求項５】
前記本体は、前記ハウジングに対して自在に相対回転するように前記ハウジングによって支持される一対の側板部と、前記一対の側板部をつなぐ接続部と、を有し、
前記係合突起は、前記接続部における前記半径方向の内側の端部に配置されており、
前記解除操作部は、前記内側の端部から前記相対回転の回転方向に沿って突出している
請求項１から４の何れか１項に記載のレバー式コネクタ。
【請求項６】
前記対向部において、前記係止部が設けられた部分は、前記半径方向の内側に位置する内側壁部と、前記半径方向の外側に位置する外側壁部と、を有し、かつ前記内側壁部と前記外側壁部との間に隙間を有する二重壁である
請求項１から５の何れか１項に記載のレバー式コネクタ。
【発明の詳細な説明】
【技術分野】
【０００１】
本発明は、レバー式コネクタに関する。
【背景技術】
【０００２】
従来、レバー式コネクタがある。特許文献１には、電線カバーにレバーロック部が設けられたコネクタが開示されている。特許文献１のコネクタでは、レバーの把持部が電線カバーのレバーロック部に係止されることにより、レバーの逆方向への回動が規制される。
【先行技術文献】
【特許文献】
【０００３】
【特許文献１】特開２０１６−２２５０４５号公報
【発明の概要】
【発明が解決しようとする課題】
【０００４】
レバー式コネクタにおいて、レバーに対する係止状態を解除する操作の操作性を向上できることが望まれている。解除操作の方法として、作業者がレバーロック部を指で押し込む方法がある。しかしながら、レバーとカバーとの隙間が狭い場合、解除操作が困難である。
【０００５】
本発明の目的は、解除操作の操作性を向上できるレバー式コネクタを提供することである。
【課題を解決するための手段】
【０００６】
本発明のレバー式コネクタは、開口部を有し、端子を保持するハウジングと、前記開口部と対向する対向部を有し、前記ハウジングに対して固定されるカバーと、前記ハウジングに対して自在に相対回転するように前記ハウジングによって支持されている本体と、前記本体から前記相対回転の半径方向の内側に向けて突出している係合突起と、前記係合突起に隣接して設けられた解除操作部と、を有するレバーと、を備え、前記対向部は、前記開口部とは反対側に向けて突出しており、前記係合突起を係止して前記レバーの回転を規制する係止部を有し、前記解除操作部は、前記本体から前記相対回転の回転方向に沿って突出しており、かつ前記係合突起が前記係止部によって係止されている状態で前記半径方向において前記係止部と対向し、前記解除操作部は、前記係止部に向けて押し付けられることで前記係合突起と前記係止部とを前記半径方向において互いに逆の方向に相対移動させることを特徴とする。
【発明の効果】
【０００７】
本発明に係るレバー式コネクタは、係合突起が係止部によって係止されている状態で半径方向において係止部と対向する解除操作部を有する。解除操作部は、係止部に向けて押し付けられることで係合突起と係止部とを半径方向において互いに逆の方向に相対移動させる。よって、本発明に係るレバー式コネクタによれば、解除操作の操作性を向上できるという効果を奏する。
【図面の簡単な説明】
【０００８】
【図１】図１は、実施形態に係るレバー式コネクタの斜視図である。
【図２】図２は、実施形態に係るレバー式コネクタの分解斜視図である。
【図３】図３は、実施形態に係るレバー式コネクタにおいて、レバーが仮係止位置にある状態を示す斜視図である。
【図４】図４は、レバーが仮係止位置にあるレバー式コネクタの側面図である。
【図５】図５は、レバーが仮係止位置にあるレバー式コネクタの正面図である。
【図６】図６は、レバーが仮係止位置にあるレバー式コネクタの下面図である。
【図７】図７は、レバーが仮係止位置にあるレバー式コネクタの断面図である。
【図８】図８は、レバーが仮係止位置にあるレバー式コネクタの拡大断面図である。
【図９】図９は、レバーが本係止位置にあるレバー式コネクタの側面図である。
【図１０】図１０は、レバーが本係止位置にあるレバー式コネクタの正面図である。
【図１１】図１１は、レバーが本係止位置にあるレバー式コネクタの背面図である。
【図１２】図１２は、レバーが本係止位置にあるレバー式コネクタの下面図である。
【図１３】図１３は、レバーが本係止位置にあるレバー式コネクタの断面図である。
【図１４】図１４は、レバーが本係止位置にあるレバー式コネクタの拡大断面図である。
【図１５】図１５は、実施形態の解除操作を説明する断面図である。
【発明を実施するための形態】
【０００９】
以下に、本発明の実施形態に係るレバー式コネクタにつき図面を参照しつつ詳細に説明する。なお、この実施形態によりこの発明が限定されるものではない。また、下記の実施形態における構成要素には、当業者が容易に想定できるものあるいは実質的に同一のものが含まれる。
【００１０】
［実施形態］
図１から図１５を参照して、実施形態について説明する。本実施形態は、レバー式コネクタに関する。図１は、実施形態に係るレバー式コネクタの斜視図、図２は、実施形態に係るレバー式コネクタの分解斜視図、図３は、実施形態に係るレバー式コネクタにおいて、レバーが仮係止位置にある状態を示す斜視図、図４は、レバーが仮係止位置にあるレバー式コネクタの側面図、図５は、レバーが仮係止位置にあるレバー式コネクタの正面図、図６は、レバーが仮係止位置にあるレバー式コネクタの下面図、図７は、レバーが仮係止位置にあるレバー式コネクタの断面図、図８は、レバーが仮係止位置にあるレバー式コネクタの拡大断面図、図９は、レバーが本係止位置にあるレバー式コネクタの側面図、図１０は、レバーが本係止位置にあるレバー式コネクタの正面図、図１１は、レバーが本係止位置にあるレバー式コネクタの背面図、図１２は、レバーが本係止位置にあるレバー式コネクタの下面図、図１３は、レバーが本係止位置にあるレバー式コネクタの断面図、図１４は、レバーが本係止位置にあるレバー式コネクタの拡大断面図、図１５は、実施形態の解除操作を説明する断面図である。
【００１１】
図１および図２に示すように、本実施形態のレバー式コネクタ１は、ハウジング２、カバー３、レバー４、スペーサ５、パッキン６、フロントマスク７、マットシール８、およびマットシールカバー９を有する。
【００１２】
ハウジング２は、インナハウジング２１およびアウタハウジング２２を有する。インナハウジング２１およびアウタハウジング２２は、例えば、絶縁性の合成樹脂によって一体に成形される。本実施形態のインナハウジング２１およびアウタハウジング２２の形状は、角筒形状である。すなわち、インナハウジング２１およびアウタハウジング２２において、軸方向Ｚと直交する断面形状は、略矩形である。
【００１３】
以下の説明において、ハウジング２の断面における短手方向を「第一方向Ｘ」と称し、長手方向を「第二方向Ｙ」と称する。軸方向Ｚは、第一方向Ｘおよび第二方向Ｙの何れとも直交する方向である。
【００１４】
ハウジング２は、第一開口部２ａおよび第二開口部２ｂを有する。第一開口部２ａは、軸方向Ｚにおけるハウジング２の一端において開口している。第一開口部２ａは、相手側のコネクタ１００（図４参照）と嵌合する側の開口部である。第二開口部２ｂは、軸方向Ｚにおけるハウジング２の他端において開口している。第二開口部２ｂは、電線Ｗが引き出される開口部である。電線Ｗは、ハウジング２によって保持された端子１０（図７参照）と接続されている。
【００１５】
図２に示すように、インナハウジング２１は、端子１０を収容する複数の端子収容部２１ａを有する。端子収容部２１ａは、第一開口部２ａから第二開口部２ｂまで延在している筒状の収容室である。端子収容部２１ａは、内部に挿入された端子１０を係止する係止機構を有している。電線Ｗと接続された端子１０は、例えば、第二開口部２ｂから端子収容部２１ａに挿入され、インナハウジング２１によって保持される。
【００１６】
図２等に示すように、アウタハウジング２２は、インナハウジング２１の外側面とつながっている外壁部である。アウタハウジング２２は、レバー４を回転自在に支持する一対の側壁部２２ａ，２２ａを有する。一対の側壁部２２ａ，２２ａは、インナハウジング２１を挟んで第一方向Ｘにおいて互いに対向している。それぞれの側壁部２２ａは、断面形状が円形の支持孔２２ｂを有する。支持孔２２ｂは、側壁部２２ａの外側面からアウタハウジング２２の内方に向けて凹んでいる。支持孔２２ｂは、側壁部２２ａに形成された凹部であってもよく、側壁部２２ａを貫通する貫通孔であってもよい。二つの支持孔２２ｂは、同軸上に配置されている。アウタハウジング２２における第二開口部２ｂ側の端部には、カバー３と係合する係合部２２ｃが形成されている。
【００１７】
スペーサ５は、ハウジング２の第一開口部２ａに取り付けられる部材である。スペーサ５は、例えば、絶縁性の合成樹脂によって成形される。スペーサ５は、相手側の端子が挿通される孔部を有している。
【００１８】
パッキン６は、ハウジング２に対して装着される。パッキン６は、ハウジング２と相手側のコネクタ１００との間をシールする環状の部材であり、ゴム等によって形成される。本実施形態のパッキン６の形状は、矩形である。パッキン６は、例えば、インナハウジング２１とアウタハウジング２２との間に挿入される。
【００１９】
フロントマスク７は、ハウジング２に対して固定される部材である。フロントマスク７は、第一開口部２ａとの間にスペーサ５を挟み込み、スペーサ５を固定する。フロントマスク７は、例えば、絶縁性の合成樹脂によって成形される。フロントマスク７の前面７ａには、相手側の端子が挿通される複数の挿通孔７ｂが形成されている。
【００２０】
マットシール８は、第二開口部２ｂに装着される。マットシール８は、電線Ｗとハウジング２との間をシールする部材であり、ゴム等によって成形される。本実施形態のマットシール８の形状は、矩形の板状である。マットシール８は、電線Ｗが挿通される複数の挿通孔８ａを有する。
【００２１】
マットシールカバー９は、第二開口部２ｂに嵌合する部材である。マットシールカバー９は、例えば、絶縁性の合成樹脂によって成形される。本実施形態のマットシールカバー９の形状は、矩形である。マットシールカバー９は、電線Ｗが挿通される複数の挿通孔９ａを有する。マットシールカバー９は、例えば、ハウジング２に向けてマットシール８を押圧しながらハウジング２に対して固定される。マットシールカバー９とハウジング２との間は、マットシール８によってシールされる。
【００２２】
カバー３は、ハウジング２に対して固定され、ハウジング２を第二開口部２ｂの側から覆う部材である。カバー３は、例えば、絶縁性の合成樹脂によって成形される。カバー３は、ハウジング２に対してマットシール８およびマットシールカバー９が取り付けられた後にハウジング２に対して取り付けられる。
【００２３】
カバー３は、一対の側壁部３１，３１および対向部３２を有する。一対の側壁部３１，３１および対向部３２によって、第二開口部２ｂを覆うカバー本体が構成されている。カバー３は、第二方向Ｙの一方に向けて開口している開口部３ａを有する。電線Ｗは、開口部３ａからカバー３の外部に引き出される。
【００２４】
一対の側壁部３１，３１は、互いに対向しており、かつ対称な形状を有している。一対の側壁部３１，３１の裾部３１ａは、ハウジング２の係合部２２ｃと対応する係合部３１ｂを有している。係合部３１ｂと係合部２２ｃとが係合することにより、カバー３がハウジング２に対して固定される。
【００２５】
対向部３２は、カバー３がハウジング２に対して取り付けられた状態で第二開口部２ｂと対向する部分である。対向部３２は、一対の側壁部３１，３１をつないでいる。対向部３２は、正対部３２ａと、傾斜部３２ｂと、を有する。正対部３２ａは、第二開口部２ｂと正対している部分であり、軸方向Ｚに対して実質的に直交している。傾斜部３２ｂは、軸方向Ｚに対して傾斜している部分である。傾斜部３２ｂの裾部３２ｃは、一対の側壁部３１，３１の裾部３１ａと連続している。傾斜部３２ｂは、レバー４と干渉しないように、レバー４の回転軌跡に応じて設けられている。対向部３２は、開口部３ａから突出している固定部３ｂを有する。電線Ｗは、結束部材等によって固定部３ｂに対して固定される。
【００２６】
レバー４は、ハウジング２に対して自在に相対回転できるようにハウジング２によって支持される部材である。レバー４は、ハウジング２に対して相対回転することにより、相手側のコネクタ１００をハウジング２に対して完全嵌合させる。本実施形態のレバー式コネクタ１は、相手側のコネクタ１００とハウジング２とを低挿入力で嵌合させることができるように構成されている。
【００２７】
レバー４は、例えば、絶縁性の合成樹脂によって成形される。図３等に示すように、レバー４は、本体４０と、係合突起４３と、解除操作部４４と、を有する。本体４０、係合突起４３、および解除操作部４４は、一体に形成されている。本体４０は、一対の側板部４１，４１と、接続部４２と、を有する。一対の側板部４１，４１は、略平板状に形成された部分であり、互いに対向している。接続部４２は、一対の側板部４１，４１を接続している部分である。
【００２８】
図２に示すように、各側板部４１は、軸突起４５およびカム溝４６を有する。軸突起４５は、側板部４１の対向面４１ａに配置されている。対向面４１ａは、側板部４１において、他方の側板部４１と対向する面である。軸突起４５の断面形状は、円形である。二つの軸突起４５は、同軸上に配置されている。軸突起４５は、ハウジング２の支持孔２２ｂに挿入され、支持孔２２ｂによって回転自在に支持される。レバー４は、軸突起４５の中心軸線Ｃ１を回転中心としてハウジング２に対して相対回転する。
【００２９】
カム溝４６は、相手側のコネクタ１００が有する突起１０１ａ（図４参照）を案内する溝である。カム溝４６は、側板部４１の縁から軸突起４５の近傍まで延在している。一方の側板部４１のカム溝４６と、他方の側板部４１のカム溝４６とは、対称な形状に形成されており、互いに対向している。
【００３０】
図７等に示すように、ハウジング２に取り付けられたレバー４は、ハウジング２に対して相対回転する。以下の説明では、ハウジング２に対するレバー４の相対回転の方向を単に「回転方向」と称する。また、レバー４をカバー３に対して係合させるときの回転方向を「第一回転方向Ｒ１」と称する。また、第一回転方向Ｒ１とは反対の回転方向を「第二回転方向Ｒ２」と称する。
【００３１】
図７に示すように、接続部４２の形状は、板状である。本実施形態の接続部４２は、板厚方向が半径方向に対して交差するように形成されている。ここで、半径方向は、ハウジング２に対する本体４０の相対回転の半径方向である。言い換えると、半径方向は、レバー４の軸突起４５の中心軸線Ｃ１を基準とする半径方向である。接続部４２の板厚は、半径方向の内側へ向かうに従って大きくなっている。
【００３２】
係合突起４３は、レバー４の本体４０から突出している。より詳しくは、係合突起４３は、接続部４２の端部４２ａから半径方向の内側に向けて突出している。すなわち、係合突起４３の突出方向は、本体４０が回転する回転軌跡の中心に向かう方向である。端部４２ａは、接続部４２における半径方向の内側の端部である。解除操作部４４は、レバー４の本体４０から、第二回転方向Ｒ２に向けて突出している。より詳しくは、解除操作部４４は、接続部４２の端部４２ａから突出しており、かつ係合突起４３に隣接している。
【００３３】
図８に示すように、係合突起４３は、被係止面４３ａを有する。被係止面４３ａは、第二回転方向Ｒ２を向いている面である。解除操作部４４は、係合突起４３の基端から第二回転方向Ｒ２に向けて突出している。解除操作部４４は、片部４４ａと、解除突起４４ｂとを有する。片部４４ａは、板状であり、接続部４２から第二回転方向Ｒ２に向けて突出している。片部４４ａの厚さｔは、片部４４ａの先端４４ｃへ向かうに従って小さくなっている。つまり、片部４４ａの断面形状は、突出方向の先端へ向かうに従って幅が狭くなる先細形状である。
【００３４】
解除突起４４ｂは、片部４４ａから半径方向の内側に向けて突出している突起である。つまり、解除突起４４ｂは、係合突起４３の突出方向と同じ方向に向けて突出している。解除突起４４ｂは、片部４４ａにおける先端４４ｃと基端との間に配置されている。解除突起４４ｂは、例えば、片部４４ａにおける突出方向の中間よりも先端４４ｃ寄りの位置に設けられる。本実施形態の解除突起４４ｂの断面形状は、突出方向の先端へ向かうに従って幅が狭くなる先細形状である。
【００３５】
カバー３の対向部３２は、係合突起４３を係止する係止部３３を有する。係止部３３は、係合突起４３を係止することによりレバー４の回転を規制する。係止部３３は、正対部３２ａにおける第一回転方向Ｒ１の端部３２ｇに配置されている。係止部３３は、第二開口部２ｂとは反対側に向けて突出している。係止部３３は、傾斜面３３ａおよび係止面３３ｂを有する。傾斜面３３ａは、軸方向Ｚに対して傾斜した面であり、第二回転方向Ｒ２を向いている。傾斜面３３ａは、第一回転方向Ｒ１へ向かうに従って第二開口部２ｂから離間するように傾斜している。係止面３３ｂは、第一回転方向Ｒ１を向く面であり、係合突起４３の被係止面４３ａを係止する。係止面３３ｂは、軸方向Ｚに沿った面であり、回転方向に対して実質的に直交している。
【００３６】
本実施形態のカバー３では、対向部３２において、係止部３３が設けられた部分が二重壁とされている。言い換えると、対向部３２において、係止部３３が設けられた部分が中空とされている。対向部３２の正対部３２ａは、内側壁部３２ｄおよび外側壁部３２ｅを有する。内側壁部３２ｄは、外側壁部３２ｅに対してカバー３の内側に位置している。言い換えると、内側壁部３２ｄは、外側壁部３２ｅよりも半径方向の内側に位置している。外側壁部３２ｅと内側壁部３２ｄとの間には、隙間３２ｆが設けられている。隙間３２ｆの大きさは、ロック解除の際に外側壁部３２ｅを必要な大きさだけ撓ませることができるように設定されている。
【００３７】
相手側のコネクタ１００とレバー式コネクタ１とを接続する場合、図４に示すように、レバー４が仮係止位置に位置付けられる。仮係止位置は、相手側のコネクタ１００とレバー式コネクタ１とが嵌合を開始するときのレバー４の位置である。ハウジング２は、レバー４を仮係止位置で係止する係止部を有している。仮係止位置では、カム溝４６の開口部４６ａが軸方向Ｚに向けて開口している。相手側のコネクタ１００の先端部１０１は、円筒形状の突起１０１ａを有する。突起１０１ａは、先端部１０１の側面から突出している。
【００３８】
作業者は、レバー式コネクタ１のフロントマスク７を相手側のコネクタ１００に挿入する。これにより、突起１０１ａが開口部４６ａからカム溝４６に入り込む。次に、作業者は、レバー４を第一回転方向Ｒ１に回転させる。レバー４が第一回転方向Ｒ１に回転すると、カム溝４６が突起１０１ａに対して軸方向Ｚに沿った力を加える。この力により、相手側のコネクタ１００がアウタハウジング２２に向けて引き寄せられる。
【００３９】
作業者は、レバー４を本係止位置まで回転させてレバー４をカバー３に係合させる。図９から図１２には、レバー４が本係止位置にあるときのレバー式コネクタ１の外観が示されている。図１３および図１４には、レバー４が本係止位置にあるときのレバー式コネクタ１の断面が示されている。レバー４が本係止位置まで移動するときには、レバー４の係合突起４３が係止部３３の傾斜面３３ａに沿って移動し、係止部３３を乗り越える。係止部３３は、レバー４が本係止位置に向けて回転するときに係合突起４３と接触するように形成されている。従って、作業者は、本体４０および係合突起４３を弾性変形させながらレバー４を本係止位置まで回転させる。
【００４０】
図１３および図１４に示すように、レバー４が本係止位置にある場合、係止部３３の係止面３３ｂがレバー４の被係止面４３ａと対向する。係止面３３ｂは、被係止面４３ａを係止してレバー４の回転を規制する。従って、第二回転方向Ｒ２へのレバー４の回転が規制される。レバー４が本係止位置まで回転すると、相手側のコネクタ１００とレバー式コネクタ１とが完全に嵌合する。
【００４１】
図１４に示すように、本係止位置において、レバー４の片部４４ａは、係止部３３と当接している。解除突起４４ｂは、係止部３３の傾斜面３３ａからわずかに離れているか、または傾斜面３３ａに接触している。
【００４２】
本実施形態のレバー式コネクタ１では、レバー４に対するカバー３の係止を解除する解除操作が容易である。解除操作において、作業者は、図１５に示すように、力Ｆ１を解除操作部４４に加え、解除操作部４４をカバー３に向けて押し付ける。作業者が加える力Ｆ１によって、解除突起４４ｂが傾斜面３３ａに当接して、係止部３３を第二開口部２ｂに向けて押圧する。従って、矢印Ｙ１で示すように、係止部３３が第二開口部２ｂに向けて押し下げられる。
【００４３】
一方、力Ｆ１により、解除操作部４４にモーメントが作用し、矢印Ｙ２で示すように、係合突起４３が浮き上がる。従って、係合突起４３と係止部３３とが半径方向において互いに逆の方向に相対移動する。言い換えると、係合突起４３と係止部３３とが半径方向において互いに遠ざかる方向に相対移動する。その結果、係合突起４３に対する係止部３３による係止が解除されて、レバー４が第二回転方向Ｒ２に向けて回転可能となる。なお、解除操作部４４にモーメントを作用させる場合、解除突起４４ｂよりも先端４４ｃ側の部分に対して力Ｆ１を加えることが好ましい。
【００４４】
作業者は、解除操作部４４に対して力Ｆ１を加えると同時に、接続部４２に対して力Ｆ２を加えることが好ましい。力Ｆ２は、接続部４２を第二回転方向Ｒ２に向けて回転させる力である。つまり、力Ｆ２は、接続部４２を引き起こす向きの力である。力Ｆ２によって、係合突起４３の浮き上がりが促進され、係止状態が容易に解除される。作業者は、例えば、片方の手の親指で解除操作部４４に対して力Ｆ１を加え、その手の残りの指で接続部４２に対して引き起こす力Ｆ２を加えることができる。従って、作業者は、片手で容易に係止状態を解除し、レバー４を第二回転方向Ｒ２に回転させることができる。
【００４５】
以上説明したように、本実施形態のレバー式コネクタ１は、第二開口部２ｂを有し、端子１０を保持するハウジング２と、カバー３と、レバー４と、を有する。カバー３は、第二開口部２ｂと対向する対向部３２を有し、ハウジング２に対して固定される。レバー４は、本体４０と、係合突起４３と、解除操作部４４と、を有する。本体４０は、ハウジング２に対して自在に相対回転するようにハウジング２によって支持される。係合突起４３は、本体４０から相対回転の半径方向の内側に向けて突出している。解除操作部４４は、係合突起４３に隣接して設けられている。
【００４６】
カバー３の対向部３２は、第二開口部２ｂとは反対側に向けて突出している係止部３３を有する。係止部３３は、係合突起４３を係止してレバー４の回転を規制する。解除操作部４４は、本体４０から相対回転の回転方向に沿って突出している。解除操作部４４は、係合突起４３が係止部３３によって係止されている状態で半径方向において係止部３３と対向する。解除操作部４４は、係止部３３に向けて押し付けられることで係合突起４３と係止部３３とを半径方向において遠ざける方向に相対移動させる。よって、本実施形態のレバー式コネクタ１は、解除操作の操作性を向上させることができる。本実施形態のレバー式コネクタ１は、解除操作において、カバー３とレバー４との隙間に指を差し入れて係止部３３を押し込むような困難な作業を不要とすることができる。
【００４７】
本実施形態の解除操作部４４は、本体４０から相対回転の回転方向に沿って突出している片部４４ａと、片部４４ａから半径方向の内側に向けて突出している解除突起４４ｂと、を有する。解除突起４４ｂは、解除操作の操作性を更に向上させることができる。
【００４８】
本実施形態の解除突起４４ｂは、片部４４ａにおける先端４４ｃと基端との間に配置されている。片部４４ａにおける解除突起４４ｂよりも先端４４ｃ側の部分が係止部３３に向けて押圧されることで、係合突起４３の浮き上がりが促進され、係止状態が容易に解除される。
【００４９】
本実施形態の本体４０は、一対の側板部４１，４１と、接続部４２と、を有する。一対の側板部４１，４１は、ハウジング２に対して自在に相対回転するようにハウジング２によって支持される。接続部４２は、一対の側板部４１，４１をつないでいる。係合突起４３は、接続部４２における半径方向の内側の端部４２ａに配置されている。解除操作部４４は、端部４２ａから相対回転の回転方向に沿って突出している。このような配置により、作業者が接続部４２を引き起こす操作と、解除操作部４４を係止部３３に向けて押し付ける操作と、の両方を同時に行なうことができる。
【００５０】
本実施形態の対向部３２において、係止部３３が設けられた部分は、二重壁である。二重壁は、半径方向の内側に位置する内側壁部３２ｄと、半径方向の外側に位置する外側壁部３２ｅと、を有し、かつ内側壁部３２ｄと外側壁部３２ｅとの間に隙間３２ｆを有する。この構成により、対向部３２において、係止部３３が設けられた部分が変形しやすくなり、解除操作の操作性が向上する。
【００５１】
［実施形態の変形例］
実施形態の変形例について説明する。係合突起４３や解除操作部４４の形状および配置は、例示した形状および配置には限定されない。例えば、解除操作部４４は、解除突起４４ｂを有していなくてもよい。解除操作部４４の形状は、解除操作部４４が係止部３３に向けて押し付けられた場合に、係合突起４３と係止部３３とを半径方向において遠ざけることができるように適宜設計される。
【００５２】
上記の実施形態および変形例に開示された内容は、適宜組み合わせて実行することができる。
【符号の説明】
【００５３】
１  レバー式コネクタ
２  ハウジング
２ａ：第一開口部、  ２ｂ：第二開口部
３  カバー
３ａ：開口部、  ３ｂ：固定部
４  レバー
５  スペーサ
６  パッキン
７  フロントマスク
７ａ：前面、  ７ｂ：挿通孔
８  マットシール
９  マットシールカバー
１０  端子
２１  インナハウジング
２１ａ  端子収容部
２２  アウタハウジング
２２ａ：側壁部、  ２２ｂ：支持孔、  ２２ｃ：係合部
３１  側壁部
３１ａ：裾部、  ３１ｂ：係合部
３２  対向部
３２ａ：正対部、  ３２ｂ：傾斜部、  ３２ｃ：裾部、  ３２ｄ：内側壁部、
３２ｅ：外側壁部、  ３２ｆ：隙間
３３  係止部
３３ａ：傾斜面、  ３３ｂ：係止面
４０  本体
４１  側板部
４１ａ  対向面
４２  接続部
４２ａ  端部
４３  係合突起
４３ａ  被係止面
４４  解除操作部
４４ａ：片部、  ４４ｂ：解除突起、  ４４ｃ：先端
４５  軸突起
４６  カム溝
１００  相手側のコネクタ
１０１  先端部
１０１ａ  突起
Ｒ１  第一回転方向
Ｒ２  第二回転方向
Ｘ  第一方向
Ｙ  第二方向
Ｚ  軸方向
【図１】
2020198156.tif 000003
【図２】
2020198156.tif 000004
【図３】
2020198156.tif 000005
【図４】
2020198156.tif 000006
【図５】
2020198156.tif 000007
【図６】
2020198156.tif 000008
【図７】
2020198156.tif 000009
【図８】
2020198156.tif 000010
【図９】
2020198156.tif 000011
【図１０】
2020198156.tif 000012
【図１１】
2020198156.tif 000013
【図１２】
2020198156.tif 000014
【図１３】
2020198156.tif 000015
【図１４】
2020198156.tif 000016
【図１５】
2020198156.tif 000017